(57)【特許請求の範囲】
【請求項１】
少なくとも２つの色に対応した画像データを記憶する画像記憶手段と、
前記記憶された各色の画像データの副走査方向の読み出し位置を指示しながら、前記画像データを読み出す読出手段と、
前記読み出された各色の画像データに基づき、色画像を記録媒体に転写する転写手段とを備え、
前記読出手段が前記画像データを読み出す際、前記転写手段の主走査方向の位置湾曲情報を基に得られる各色の湾曲補正情報に従って、前記各色の画像データの副走査方向の読み出し位置を切り替える画像形成装置において、
前記各色の前記切り替えられる読み出し位置にそれぞれ対応する前記各色の主走査方向の切り替え位置が、予め決められた画素数以内にある場合、前記各色の前記切り替え位置を寄せるように変更する切替位置変更手段を備えたことを特徴とする画像形成装置。
【請求項２】
前記各色の湾曲補正情報を記憶する湾曲補正情報記憶手段を備え、
前記読出手段は前記画像データの読み出しに併せて、前記湾曲補正情報記憶手段から各色の湾曲補正情報を読み出し、
前記読み出された各色の湾曲補正情報に従って、前記各色の画像データの副走査方向の読み出し位置を切り替えることを特徴とする請求項１記載の画像形成装置。
【請求項３】
前記切替位置変更手段は、各色の前記切り替え位置を、変更前の各色の前記切り替え位置の中間地点に変更することを特徴とする請求項１または２記載の画像形成装置。
【請求項４】
前記切替位置変更手段は、前記各色のうち、特定の色の前記切り替え位置を、前記特定の色とは異なる色の前記切り替え位置に揃えるように変更することを特徴とする請求項１または２記載の画像形成装置。
【請求項５】
少なくとも２つの色に対応した画像データを記憶する画像記憶手段と、前記記憶された各色の画像データの副走査方向の読み出し位置を指示しながら、前記画像データを読み出す読出手段と、前記読み出された各色の画像データに基づき、色画像を記録媒体に転写する転写手段とを備えた画像形成装置の画像処理方法であって、
前記読出手段が前記画像データを読み出す際、前記転写手段の主走査方向の位置湾曲情報を基に得られる各色の湾曲補正情報に従って、前記各色の画像データの副走査方向の読み出し位置を切り替える読出位置切替ステップと、
前記各色の前記切り替えられる読み出し位置にそれぞれ対応する前記各色の切り替え位置が、予め決められた画素数以内にある場合、前記各色の前記切り替え位置を寄せるように変更する切替位置変更ステップとを有することを特徴とする画像処理方法。
【発明の詳細な説明】
【技術分野】
【０００１】
本発明は、複数色の画像を記録媒体に形成する画像形成装置及びその画像処理方法に関する。
【背景技術】
【０００２】
従来、カラープリンタあるいはカラー複写機等のカラー画像形成装置に用いられる画像記録方式として、電子写真方式が知られている。電子写真方式では、レーザービームを利用して感光ドラム上に潜像を形成し、帯電した色材（以下、トナーと称する）により現像する。また、画像の記録は、現像されたトナーによる画像を転写紙に転写して定着させることにより行われる。
【０００３】
近年、電子写真方式のカラー画像形成装置の画像形成スピード高速化のために、トナーの色数と同数の現像器および感光ドラムを備え、画像搬送ベルト上や、記録媒体上に順次異なる色の画像を転写するタンデム方式のカラー画像形成装置が増えている。
【０００４】
このタンデム方式のカラー画像形成装置においては、レジストレーションずれを生じさせる複数の要因が存在することが知られており、各要因に対して様々な対処方法が提案されている。
【０００５】
その１つの要因が偏向走査装置のレンズの不均一性や取り付け位置ずれ、および偏向走査装置のカラー画像形成装置本体への組み付け位置ずれである。この位置ずれにより、走査線に傾きや曲がりが生じ、その曲がり度合い（以下、プロファイルと称する）が色毎に異なることとなり、レジストレーションずれとなる。
【０００６】
プロファイルは、画像形成装置毎に、すなわち記録エンジン毎に、さらには各色で異なる。図１７は従来の画像形成装置におけるプロフィルの一例を示すグラフである。同図（ａ）、（ｂ）、（ｃ）、（ｄ）はそれぞれシアン（Ｃ）、マゼンタ（Ｍ）、イエロー（Ｙ）、ブラック（Ｋ）のプロファイル特性を示す。また、各グラフの縦軸は画像形成装置における理想的な特性に対して副走査方向ずれ量を表し、横軸は画像形成装置における主走査方向位置を表す。
【０００７】
主走査方向に直線的に表現されている線２０１、２０３、２０５、２０７は、曲がりのない理想的な特性であることを示す。また、曲線で示された線２０２、２０４、２０６、２０８は、色毎のプロファイル特性を示している。すなわち、シアンのプロファイル特性は線２０２で示される。マゼンタのプロファイル特性は線２０４で示される。イエローのプロファイル特性は線２０６で示される。ブラックのプロファイル特性は線２０８で示される。
【０００８】
図からも分かるように、曲線の変化点は色毎に異なっており、この異なりが定着後の画像データにおいて、レジストレーションずれとなって現れる。
【０００９】
このレジストレーションずれへの対処方法として、特許文献１には、偏向走査装置の組立工程で、光学センサを用いて走査線の曲がりの大きさを測定し、レンズを機械的に回転させて走査線の曲がりを調整した後、接着剤で固定する方法が記載されている。
【００１０】
特許文献２には、偏向走査装置をカラー画像形成装置本体に組み付ける工程において、光学センサを用いて走査線の傾きの大きさを測定し、偏向走査装置を機械的に傾かせて走査線の傾きを調整した上で、カラー画像形成装置本体に組み付ける方法が記載されている。
【００１１】
また、特許文献３には、光学センサを用いて走査線の傾きと曲がりの大きさを測定し、それらを相殺するようにビットマップ画像データを補正し、その補正した画像を形成する方法が記載されている。この方法は、画像データを処理することで電気的に補正するので、機械的な調整部材や組立時の調整工程が不要になる。従って、カラー画像形成装置の大きさを小型化することが可能となり、かつ、特許文献１、２に記載されている方法よりも安価にレジストレーションずれに対処することができる。
【００１２】
この電気的なレジストレーションずれ補正は、１画素単位の補正と１画素未満の補正に分かれる。図１８は１画素単位の補正を説明する図である。１画素単位の補正では、傾きと曲がりの補正量に応じて、画素を１画素単位で副走査方向にオフセットさせる。なお、以後の記載においては、オフセットさせる位置を乗り換えポイントと称する。つまり、図１８においては、Ｐ１〜Ｐ５が乗り換えポイントに該当する。
【００１３】
図１９は１画素未満の補正を説明する図である。１画素未満の補正では、ビットマップ画像データの階調値を副走査方向の前後の画素で調整する。つまり、同図（ａ）のようなプロファイル特性により、上方向に曲がっている場合、階調補正前のビットマップ画像データを、プロファイル特性の示す方向とは逆方向に副走査側で扱う。このような手法で、１画素未満の補正を実行することにより、１画素単位の補正により生じる乗り換えポイント境界における不自然な段差を解消し、画像の平滑化を図ることができる。
【特許文献１】特開２００２−１１６３９４号公報
【特許文献２】特開２００３−２４１１３１号公報
【特許文献３】特開２００４−１７０７５５号公報
【発明の開示】
【発明が解決しようとする課題】
【００１４】
しかしながら、上記従来の画像形成装置では、各色において、乗り換えポイントの補正を行ったとしても、各色の乗り換えポイントの位置が近くにあった場合、画像形成後の可視画像において、色モアレによる画像劣化が生じるおそれがあった。
【００１５】
そこで、本発明は、色モアレの発生を低減させることができる画像形成装置及びその画像処理方法を提供することを目的とする。
【課題を解決するための手段】
【００１６】
上記目的を達成するために、本発明の画像形成装置は、少なくとも２つの色に対応した画像データを記憶する画像記憶手段と、前記記憶された各色の画像データの副走査方向の読み出し位置を指示しながら、前記画像データを読み出す読出手段と、前記読み出された各色の画像データに基づき、色画像を記録媒体に転写する転写手段とを備え、前記読出手段が前記画像データを読み出す際、前記転写手段の主走査方向の位置湾曲情報を基に得られる各色の湾曲補正情報に従って、前記各色の画像データの副走査方向の読み出し位置を切り替える画像形成装置において、前記各色の前記切り替えられる読み出し位置にそれぞれ対応する前記各色の主走査方向の切り替え位置が、予め決められた画素数以内にある場合、前記各色の前記切り替え位置を寄せるように変更する切替位置変更手段を備えたことを特徴とする。
【００１７】
本発明の画像形成装置の画像処理方法は、少なくとも２つの色に対応した画像データを記憶する画像記憶手段と、前記記憶された各色の画像データの副走査方向の読み出し位置を指示しながら、前記画像データを読み出す読出手段と、前記読み出された各色の画像データに基づき、色画像を記録媒体に転写する転写手段とを備えた画像形成装置の画像処理方法であって、前記読出手段が前記画像データを読み出す際、前記転写手段の主走査方向の位置湾曲情報を基に得られる各色の湾曲補正情報に従って、前記各色の画像データの副走査方向の読み出し位置を切り替える読出位置切替ステップと、前記各色の前記切り替えられる読み出し位置にそれぞれ対応する前記各色の切り替え位置が、予め決められた画素数以内にある場合、前記各色の前記切り替え位置を寄せるように変更する切替位置変更ステップとを有することを特徴とする。
【発明の効果】
【００１８】
本発明によれば、前記各色の前記切り替えられる読み出し位置にそれぞれ対応する前記各色の切り替え位置が、予め決められた画素数以内にある場合、前記各色の前記切り替え位置を寄せるように変更するので、色モアレの発生を低減させることができる。これにより、色モアレ等による画像劣化が生じなくなる。
【発明を実施するための最良の形態】
【００１９】
本発明の画像形成装置及びその画像処理方法の実施の形態について図面を参照しながら説明する。本実施形態の画像形成装置は電子写真方式のカラー画像形成装置に適用される。
【００２０】
図１は実施の形態におけるカラー画像形成装置の構成を示すブロック図である。図１には主に静電潜像の作成に係わる部分が示されている。カラー画像形成装置は、画像形成部４０１および画像処理部４０２を有する。画像処理部４０２は、ビットマップ画像情報を生成する。画像形成部４０１は、画像処理部４０２で生成されたビットマップ画像情報に基づき、記録媒体上に画像形成を行う。なお、画像形成部４０１には、後述するように、プロファイルデータ４１６Ｃ，４１６Ｍ，４１６Ｙ，４１６Ｋ（wankyokuhoseijouhou）を格納するプロファイル格納部４０３（湾曲補正情報記憶手段）が設けられている。
【００２１】
図２はカラー画像形成装置における画像形成部４０１の構成を示す断面図である。本実施形態では、電子写真方式のカラー画像形成装置の一例として、中間転写体を採用したタンデム方式のカラー画像形成装置が用いられる。
【００２２】
画像形成部４０１は、画像処理部４０２が処理した露光時間に応じて露光光を駆動し、感光体に静電潜像を形成し、この静電潜像を現像して単色トナー像を形成する。さらに、画像形成部４０１は、この単色トナー像を重ね合わせて多色トナー像を形成し、この多色トナー像を記録媒体１１に転写し、その記録媒体１１上の多色トナー像を定着させる。この画像形成部４０１は、主に帯電部、現像部、転写部および定着部から構成される。
【００２３】
帯電部は、Ｙ，Ｍ，Ｃ，Ｋの色毎に、感光体２２Ｙ，２２Ｍ，２２Ｃ，２２Ｋを帯電させるための４個の注入帯電器２３Ｙ，２３Ｍ，２３Ｃ，２３Ｋを備える。各注入帯電器には、スリーブ２３ＹＳ，２３ＭＳ，２３ＣＳ，２３ＫＳが設けられている。
【００２４】
感光体２２Ｙ，２２Ｍ，２２Ｃ，２２Ｋは、駆動モータ（図示せず）の駆動力が伝達されると、回転する。駆動モータは、感光体２２Ｙ，２２Ｍ，２２Ｃ，２２Ｋを画像形成動作に応じて反時計周り方向に回転させる。
【００２５】
露光部は、感光体２２Ｙ，２２Ｍ，２２Ｃ，２２Ｋにスキャナ部２４Ｙ，２４Ｍ，２４Ｃ，２４Ｋから露光光を照射し、感光体２２Ｙ，２２Ｍ，２２Ｃ，２２Ｋの表面を選択的に露光することにより、静電潜像を形成するように構成されている。
【００２６】
現像部は、前述した静電潜像を可視化するために、Ｙ，Ｍ，Ｃ，Ｋの色毎に現像を行う４個の現像器２６Ｙ，２６Ｍ，２６Ｃ，２６Ｋを備える。各現像器には、スリーブ２６ＹＳ，２６ＭＳ，２６ＣＳ，２６ＫＳが設けられている。なお、各々の現像器２６Ｙ，２６Ｍ，２６Ｃ，２６Ｋは脱着自在である。
【００２７】
転写部は、感光体２２（２２Ｙ，２２Ｍ，２２Ｃ，２２Ｋ）から中間転写体２８へ単色トナー像を転写するために、中間転写体２８を時計周り方向に回転させる。転写部は、感光体２２Ｙ，２２Ｍ，２２Ｃ，２２Ｋとそれに対向して位置する一次転写ローラ２７Ｙ，２７Ｍ，２７Ｃ，２７Ｋの回転に伴って、単色トナー像を転写する。転写部は、一次転写ローラ２７（２７Ｙ，２７Ｍ，２７Ｃ，２７Ｋ）に適当なバイアス電圧を印加すると共に、感光体２２の回転速度と中間転写体２８の回転速度に差をつけることにより、効率良く単色トナー像を中間転写体２８上に転写する。これを一次転写という。
【００２８】
さらに、転写部は、ステーション毎に単色トナー像を中間転写体２８上に重ね合わせ、重ね合わせた多色トナー像を中間転写体２８の回転に伴い、二次転写ローラ２９まで搬送する。さらに、転写部は、記録媒体１１を給紙トレイ２１ａ、２１ｂから二次転写ローラ２９へ狭持して搬送し、記録媒体１１に中間転写体２８上の多色トナー像を転写する。転写部は、二次転写ローラ２９に適当なバイアス電圧を印加し、静電的にトナー像を転写する。これを二次転写という。二次転写ローラ２９は、記録媒体１１上に多色トナー像を転写している間、位置２９ａで記録媒体１１に当接し、印字処理後、位置２９ｂに離間する。
【００２９】
定着装置３１（定着部）は、記録媒体１１に転写された多色トナー像を記録媒体１１に溶融・定着させるために、記録媒体１１を加熱する定着ローラ３２、および記録媒体１１を定着ローラ３２に圧接させるための加圧ローラ３３を備える。定着ローラ３２および加圧ローラ３３は中空状に形成され、それぞれの内部にはヒータ３４、３５が設けられている。定着装置３１は、多色トナー像を保持した記録媒体１１を定着ローラ３２と加圧ローラ３３により搬送するとともに、熱および圧力を加え、トナーを記録媒体１１に定着させる。トナー定着後の記録媒体１１は、その後、排出ローラ（図示せず）によって排紙トレイ（図示せず）に排出される。これにより、画像形成動作が終了する。
【００３０】
クリーニング部３０は、中間転写体２８上に残ったトナーをクリーニングするものである。中間転写体２８上に形成された４色の多色トナー像を記録媒体１１に転写した後に残った廃トナーは、クリーナ容器に蓄えられる。
【００３１】
ここで、画像形成装置における色毎の走査線のプロファイル特性に関して説明する。図３は画像形成装置のプロファイル特性を示すグラフである。同図（ａ）は画像形成装置のプロファイル特性として、レーザースキャン方向に亘って上方にずれている領域を示す。同図（ｂ）は画像形成装置のプロファイル特性として、レーザースキャン方向に亘って下方にずれている領域を示す。理想的な走査線３０１は、感光体２２の回転方向に対して垂直に走査が行われる場合の特性を示す。一方、走査線３０２は、感光体２２の位置精度や径のずれ、および各色のスキャナ部２４（２４Ｃ，２４Ｍ，２４Ｙ，２４Ｋ）における光学系の位置精度に起因した、傾きおよび曲がりの発生した実際の走査線である。
【００３２】
なお、プロファイル特性は、画像処理部４０２で補正がなされるべき方向を前提として定義されているが、プロファイル特性の定義は、これに限定されるものではない。例えば、画像形成部４０１のずれ方向としてプロファイル特性を定義しておき、画像処理部４０２は、その逆特性の補正を行うように構成してもよい。
【００３３】
図４はプロファイル特性の定義によって画像処理部４０２で補正がなされるべき方向と、画像形成部４０１のずれ方向との相関を示す図である。画像処理部４０２で補正がなされるべき方向として、図４（ａ）のようにプロファイル特性が示されている場合、画像形成部４０１の曲がり特性（位置湾曲情報に相当）は、その逆方向である図４（ｂ）に示されたものになる。逆に、画像形成部４０１の曲がり特性として、図４（ｃ）のプロファイル特性が示されている場合、画像処理部４０２で補正がなされるべき方向として、図４（ｄ）に示されたものになる。
【００３４】
また、プロファイル特性のデータ（プロファイルデータ）の保持の仕方として、例えば、図５に示すように、乗り換えポイントの主走査方向の画素位置と、次の乗り換えポイントまでの変化の方向性を保持することが挙げられる。
【００３５】
図５は１色分のレーザースキャナの歪み具合およびそのプロファイルデータを示す図である。このプロファイルデータは、画像形成装置内のプロファイル格納部４０３に格納されたプロファイルデータ４１６Ｃ，４１６Ｍ，４１６Ｙ，４１６Ｋに相当する。プロファイルデータには、乗り換えポイントの位置を示す主走査方向の画素、およびその位置における画素を上下どちらに補正するかを示す１ｂｉｔのデータが記述されている。
【００３６】
具体的に、図５（ａ）のプロファイル特性に対し、乗り換えポイントがＰ１，Ｐ２，Ｐ３，……，Ｐｍが定義される。各乗り換えポイントの定義は、副走査方向に１画素ずれが発生するポイントである。その方向としては、次の乗り換えポイントまで上方向に変化する場合と下方向に変化する場合がある。
【００３７】
例えば、乗り換えポイントＰ２は、次の乗り換えポイントＰ３まで、上方向に乗り換えを行うべきポイントとなる。従って、乗り換えポイントＰ２における乗り換え方向は、図５（ｂ）の下段に示すように上方向（↑）となる。同様に、乗り換えポイントＰ３においても、次の乗り換えポイントＰ４までは上方向（↑）となる。乗り換えポイントＰ４における乗り換え方向は、これまでの方向とは異なり下方向（↓）となる。この方向のデータの保持の仕方としては、例えば、上方向を示すデータとして”１”、下方向を示すデータとして”０”とすればよい。この場合、保持するデータ数は乗り換えポイント数と同じになり、乗り換えポイント数がｍ個である場合、保持するビット数もｍビットとなる。
【００３８】
画像形成装置は、その記録デバイス（記録エンジン）毎に異なるプロファイル特性を有する。さらに、カラー画像形成装置の場合、色毎にその特性が異なる。
【００３９】
図３（ａ）を用いて、レーザースキャン方向に亘って上方にずれている領域の乗り換えポイントに関して説明する。本実施形態における乗り換えポイントとは、副走査方向に１画素ずれているポイントのことを示す。つまり、図３（ａ）においては、上方への曲がり特性を有する走査線３０２上で、副走査方向に１画素ずれているポイントであるＰ１、Ｐ２、Ｐ３が乗り換えポイントに相当する。なお、図３（ａ）においては、Ｐ０を基準として記載されている。同図からもわかるように、乗り換えポイント間の距離（Ｌ１、Ｌ２）は、曲がり特性を有する走査線３０２が急激に変化している領域においては短くなり、緩やかに変化している領域においては長くなる。
【００４０】
図３（ｂ）を用いて、レーザースキャン方向に亘って下方にずれている領域の乗り換えポイントに関して説明する。下方にずれている特性を示す領域においても、乗り換えポイントの定義は、副走査方向に１画素ずれているポイントのことを示す。つまり、図３（ｂ）においては、下方への湾曲特性を有する走査線３０２上で、副走査方向に１画素ずれているポイントであるＰｎ、Ｐｎ＋１が乗り換えポイントに相当する。図３（ｂ）においても、図３（ａ）と同様、乗り換えポイント間の距離（Ｌｎ、Ｌｎ＋１）は、曲がり特性を有する走査線３０２が急激に変化している領域においては短くなり、緩やかに変化している領域においては長くなる。
【００４１】
このように、乗り換えポイントは、画像形成装置が持つ、曲がり特性を有する走査線３０２の変化度合いと密接に関係する。よって、急激な曲がり特性を持つ画像形成装置においては、乗り換えポイント数は多くなり、逆に緩やかな曲がり特性を持つ画像形成装置においては、乗り換えポイント数が少なくなる。
【００４２】
既に説明している通り、画像形成装置が持つ曲がり特性は、色毎にも異なるため、乗り換えポイントの数および位置はそれぞれ色毎に異なる。この色間の相違が、中間転写体２８上に全色のトナー像を転写した画像において、レジストレーションずれとなって現れることとなる。
【００４３】
つぎに、カラー画像形成装置における画像処理部４０２の構成および動作を示す（図１参照）。画像生成部４０４は、コンピュータ装置（図示せず）等から受信する印刷データを用いて、印刷処理可能なラスタイメージデータを生成し、ＲＧＢデータおよび各画素のデータ属性を示す属性データとして画素毎に出力する。
【００４４】
なお、画像生成部４０４は、コンピュータ装置等から受信した画像データではなく、カラー画像形成装置内部に読取部を構成し、この読取部からの画像データを扱う構成としてもよい。ここで、読取部は、少なくともＣＣＤ（Ｃｈａｅｒｇｅｄ  Ｃｏｕｐｌｅ  Ｄｅｖｉｃｅ）あるいはＣＩＳ（Ｃｏｎｔａｃｔ  Ｉｍａｇｅ  ｓｅｎｓｅｒ）を含むものであり、読み取った画像データに対し、所定の画像処理を行う処理部を合わせ持つ構成でもよい。また、カラー画像形成装置の内部に読取部を構成せず、インターフェース（図示せず）を介して、外部の読取装置からデータを受け取れるように構成してもよい。
【００４５】
色変換処理部４０５は、ＲＧＢデータを画像形成部４０１のトナー色に合わせてＣＭＹＫデータに変換し、ＣＭＹＫデータと属性データをビットマップメモリ（記憶部）４０６に格納する。
【００４６】
記憶部４０６は、画像処理部４０２に設けられた第１の記憶部であり、印刷処理を行うラスタイメージデータを一旦格納するものである。なお、記憶部４０６は、１ページ分のイメージデータを格納するページメモリで構成されてもよいし、複数ライン分のデータを記憶するバンドメモリとして構成されてもよい。
【００４７】
ハーフトーン処理部４０７Ｃ，４０７Ｍ，４０７Ｙ，４０７Ｋは、記憶部４０６から出力される属性データおよび各色のデータにハーフトーン処理を行う。ハーフトーン処理部の具体的な構成としては、スクリーン処理によるもの、あるいは誤差拡散処理によるものが知られている。スクリーン処理は、所定の複数のディザマトリクスおよび入力される画像データ用いて、Ｎ値化するものである。また、誤差拡散処理は、入力画像データを所定の閾値と比較することにより、Ｎ値化を行い、その際の入力画像データと閾値との差分を以降にＮ値化処理する周囲画素に対し、拡散させる処理である。
【００４８】
第２の記憶部４０８（画像記憶手段に相当）は、画像形成装置の内部に設けられており、ハーフトーン処理部４０７（４０７Ｃ，４０７Ｍ，４０７Ｙ，４０７Ｋ）により処理されたＮ値化データを記憶する。なお、第２の記憶部４０８以降の、画像処理される画素位置が乗り換えポイントである場合、指示に従って、第２の記憶部４０８から読み出される時点で、１画素分の乗り換えが行われる。この１画素分の乗り換えは、読出位置補正に相当する。
【００４９】
図６は乗り換えポイントにおける読み出しを示す図である。同図（ａ）は第２の記憶部４０８が保持しているデータの状態を模式的に示す。同図（ａ）に示す通り、第２の記憶部４０８が記憶している状態として、画像処理部４０２の補正方向、あるいは画像形成部４０１の曲がり特性によらず、ハーフトーン処理部４０７による処理後のデータが保持されている。
【００５０】
同図（ａ）のライン７０１が読み出される時点で、画像処理部４０２で補正されるべき方向としてのプロファイル特性が上方向の場合、同図（ｂ）のように、乗り換えポイントを境界として、上方向に１画素分ずらされた状態となる。
【００５１】
また、画像処理部４０２で補正されるべき方向としてのプロファイル特性が下方向の場合、ライン７０１の画像データが第２の記憶部４０８から読み出された時点で、同図（ｃ）のように、乗り換えポイントを境界として、下方向に１画素分ずらされた状態となる。
【００５２】
各色の補間判定部４０９Ｃ，４０９Ｍ，４０９Ｙ，４０９Ｋは、入力されるＮ値化データの乗り換えポイント前後の画素の処理として、後段処理で補間を必要とする画素であるか、それとも補間を行わなくてもよい画素であるかを判定する。
【００５３】
タイミング調整部４１０Ｃ，４１０Ｍ，４１０Ｙ，４１０Ｋは、第２の記憶部４０８からのＮ値化データと補間判定部４０９の判定結果の同期をとるために、設けられている。転送バッファ４１１Ｃ，４１１Ｍ，４１１Ｙ，４１１Ｋは、補間判定部４０９とタイミング調整部４１０の出力データを一時的に保持する。このタイミング調整部によって第２の記憶部４０８から画像データが読み出される処理は、請求項１に記載の画像読出手段に相当する。なお、本実施形態では、第１記憶部４０６、第２記憶部４０８および転送用バッファ４１１を別構成としたが、画像形成装置の内部に共通の記憶部で構成されるようにしてもよい。
【００５４】
補間処理部４１２Ｃ，４１２Ｍ，４１２Ｙ，４１２Ｋは、それぞれ転送用バッファ４１１Ｃ，４１１Ｍ，４１１Ｙ，４１１Ｋからの受信データに対し、同じく転送用バッファから転送されてくる補間判定部４０９による判定結果に基づき補間処理を行う。補間判定部４０９からの判定結果は、画素毎の判定結果となるが、補間処理部４１２での補間処理は、画像形成装置が持つ曲がり特性に対応した乗り換えポイントの前後の画素を使用する。
【００５５】
図７は画像形成装置内のプロファイル格納部４０３に記憶されている各色のプロファイルデータを示す図である。同図（ａ）は主走査方向２５６画素目で上方向に乗り換えを行うＣプレーンのプロファイルデータを示す。同図（ｂ）は主走査方向１２８画素目で上方向に乗り換えを行うＭプレーンのプロファイルデータを示す。同図（ｃ）は１９２画素目で上方向に乗り換えを行うＹプレーンのプロファイルデータを示す。同図（ｄ）は４４８画素目で上方向に乗り換えを行うＫプレーンのプロファイルデータを示す。
【００５６】
図８は図７のプロファイルデータにより画像形成装置内の各色が記憶されている第２記憶部（画像メモリ）４０８からの各色の読み出しを示す図である。図９は図８の各色の読み出しを基に、画像形成装置の画像形成部４０１によってレーザースキャンが行われた状態を示す図である。図１０は用紙上に画像が形成された状態を示す図である。このとき、乗り換えポイント近辺においては、乗り換えの段差により、Ｃプレーン、Ｍプレーン、Ｙプレーン、Ｋプレーン間で段差が生じる。このことがモアレ画像の原因となってしまう。
【００５７】
そこで、本実施形態では、乗り換えポイントによって生じるモアレ画像を低減させるために、プロファイルデータを修正（再生成）する。図１１および図１２はプロファイルデータの再生成手順を示すフローチャートである。この処理プログラムは、画像形成装置内のコントローラ（図示せず）に内蔵された記憶媒体に格納されており、コントローラによって実行される。本実施形態では、乗り換えポイントの単位を６４画素とし、再生成の際の乗り換えポイントの移動量を±６４画素とする。
【００５８】
まず、画像形成装置内のコントローラは、主走査画素Ｘｐを初期値０に設定する（ステップＳ１）。コントローラは、主走査画素Ｘｐに値６４を加算する（ステップＳ２）。コントローラは、この加算した主走査画素Ｘｐにおいて、シアン（Ｃ）のプロファイルデータ（図７（ａ）参照）に乗り換えポイントがあるか否かを判別する（ステップＳ３）。乗り換えポイントがない場合、マゼンタ（Ｍ）のプロファイルデータ（図７（ｂ）参照）に乗り換えポイントがあるか否かを判別する（ステップＳ４）。乗り換えポイントがない場合、イエロー（Ｙ）のプロファイルデータ（図７（ｃ）参照）に乗り換えポイントがあるか否かを判別する（ステップＳ５）。乗り換えポイントがない場合、ブラック（Ｋ）のプロファイルデータ（図７（ｄ）参照）に乗り換えポイントがあるか否かを判別する（ステップＳ６）。乗り換えポイントがない場合、コントローラは、主走査画素Ｘｐが主走査方向の最大である主走査画素Ｘｎｕｍを超えたか否かを判別する（ステップＳ１９）。超えていない場合、ステップＳ２の処理に戻る。一方、超えている場合、コントローラは本処理を終了する。
【００５９】
一方、ステップＳ３で、シアン（Ｃ）のプロファイルデータ（図７（ａ）参照）に乗り換えポイントがある場合、他の色（Ｍ、Ｙ、Ｋ）において、１２８画素以内に、乗り換えポイントが存在するか否かの検出を行う（ステップＳ７）。１２８画素以内に乗り換えポイントが存在しない場合、ステップＳ１９の処理に移行する。一方、１２８画素以内に乗り換えポイントが存在する場合、１２８画素以内に乗り換えポイントが存在する色の乗り換えポイントにおける中間地点を計算し、その値を算出する（ステップＳ８）。そして、各色のプロファイルデータを書き換える（ステップＳ９）。この後、ステップＳ１９の処理に移行する。
【００６０】
同様に、ステップＳ４で、マゼンタ（Ｍ）のプロファイルデータ（図７（ｂ）参照）に乗り換えポイントがある場合、他の色（Ｃ、Ｙ、Ｋ）において、１２８画素以内に、乗り換えポイントが存在するか否かの検出を行う（ステップＳ１０）。１２８画素以内に乗り換えポイントが存在しない場合、ステップＳ１９の処理に移行する。一方、１２８画素以内に乗り換えポイントが存在する場合、１２８画素以内に乗り換えポイントが存在する色の乗り換えポイントにおける中間地点を計算し、その値を算出する（ステップＳ１１）。そして、各色のプロファイルデータを書き換える（ステップＳ１２）。この後、ステップＳ１９の処理に移行する。
【００６１】
同様に、ステップＳ５で、イエロー（Ｙ）のプロファイルデータ（図７（ｃ）参照）に乗り換えポイントがある場合、他の色（Ｃ、Ｍ、Ｋ）において、１２８画素以内に、乗り換えポイントが存在するか否かの検出を行う（ステップＳ１３）。１２８画素以内に乗り換えポイントが存在しない場合、ステップＳ１９の処理に移行する。一方、１２８画素以内に乗り換えポイントが存在する場合、１２８画素以内に乗り換えポイントが存在する色の乗り換えポイントにおける中間地点を計算し、その値を算出する（ステップＳ１４）。そして、各色のプロファイルデータを書き換える（ステップＳ１５）。この後、ステップＳ１９の処理に移行する。
【００６２】
同様に、ステップＳ６で、ブラック（Ｋ）のプロファイルデータ（図７（ｄ）参照）に乗り換えポイントがある場合、他の色（Ｃ、Ｍ、Ｙ）において、１２８画素以内に、乗り換えポイントが存在するか否かの検出を行う（ステップＳ１６）。１２８画素以内に乗り換えポイントが存在しない場合、ステップＳ１９の処理に移行する。一方、１２８画素以内に乗り換えポイントが存在する場合、１２８画素以内に乗り換えポイントが存在する色の乗り換えポイントにおける中間地点を計算し、その値を算出する（ステップＳ１７）。そして、各色のプロファイルデータを書き換える（ステップＳ１８）。この後、ステップＳ１９の処理に移行する。
【００６３】
具体的に、図７を用いて説明する。画像形成装置内のコントローラは、プロファイル格納部４０３に格納されているプロファイルデータ（図７参照）を主走査画素の項目が低い順に読み込んでいく（Ｓ３、Ｓ４、Ｓ５、Ｓ６）。本実施形態においては、まず、図７（ｂ）に示すマゼンタ（Ｍ）のプロファイルデータの乗り換えポイントがＰ１において、１２８画素目が該当する（Ｓ４）。つぎに、他の色において、１２８画素以内に、乗り換えポイントが存在するか否かの検出を行う（Ｓ１０）。ここで、図７（ｃ）に示すイエロー（Ｙ）のプロファイルデータにおいては、図７（ｂ）の乗り換えポイントＰ１に対して＋６４画素で乗り換えを同一方向で行っていることが検出される。また、図７（ａ）に示すシアン（Ｃ）のプロファイルデータにおいては、図７（ｂ）の乗り換えポイントＰ１に対して＋１２８画素で同一方向で乗り換えを行っていることが検出される。
【００６４】
つぎに、この３つの色の乗り換えポイントにおける中間地点を計算し（Ｓ１１）、その値を算出する。本実施形態では、変更前の乗り換えポイントである、図７（ａ）の主走査画素が「２５６」、図７（ｂ）の主走査画素が「１２８」、図７（ｃ）の主走査画素が「１９２」であることから、中間地点は「１９２」となる。図７（ａ）、（ｂ）、（ｃ）の該当するプロファイルデータを図１３に示すように書き換える（Ｓ１２）。図１３は再生成が行われたプロファイルデータを示す図である。図１３（ａ）、（ｂ）、（ｃ）に示す変更後のプロファイルデータには、乗り換えポイントＰ１として各主走査画素が「１９２」に設定されている。この手順をプロファイルデータに記載されている最後の乗り換えポイントまで行うことで（Ｓ１９）、一連のプロファイルデータの再生成が終了する。ここで、Ｓ９、Ｓ１２、Ｓ１５、Ｓ１８の処理は、湾曲補正情報再生成手段に相当する。
【００６５】
図１４は再生成が終了したプロファイルデータ（図１３参照）により画像形成装置内の各色が記憶されている第２記憶部４０８（画像メモリ）からの各色の読み出しを示す図である。図１３に示すようなプロファイルデータを使用することで、画像メモリから図１４に示すような形式で画像データが読み出される。図１５は図１４の各色の読み出しを基に、画像形成装置の画像形成部４０１によってレーザースキャンが行われた状態を示す図である。図１６は用紙上に画像が形成された状態を示す図である。
【００６６】
本実施形態の画像形成装置によれば、上記手法により、シアン、マゼンタ、イエローの間における色のズレがなくなり、この３色の間での色モアレの発生を低減させることができる。また、プロファイルデータを速やかに取得することができる。また、各色の乗り換えポイントの位置が色モアレの発生し易くなるような位置関係にある場合に限って、プロファイルデータを再生成することができ、色モアレの発生を抑えることができる。また、乗り換えポイントの位置における各色画像のズレを抑えることができ、色モアレの発生を低減させることができる。また、中間地点に変更するので、各色のプロファイルデータの変更量を少なくすることができる。
【００６７】
ここで、上記実施形態では、前述したように、乗り換え制御を行うコントローラに与えられる、乗り換えポイントが記述されたプロファイルデータは、６４ビット単位で量子化されたものであった。従って、アナログ的に歪んでいるレーザービームの曲がり、つまり本来のプロファイルを正確に表現しているものではない。よって、狭い主走査区間内でプロファイルデータの移動（補正）、つまり乗り換えポイントの移動を行っても、画像形成に特に支障は生じないと判断される。
【００６８】
なお、本実施形態では、４色ともにプロファイルデータを参照し、所定の条件に合致した場合、プロファイルデータの再生成を行っている。しかし、特定の色において、他の色と乗り換えポイントにおいて、段差が生じたとしても、モアレ等が生じないような色（例えば、イエロー）においては、プロファイルデータの再生成を行わなくてもよい。
【００６９】
さらに、再生成の際の乗り換えポイントの移動量を±６４画素としているが、テキスト画像や写真画像といった画像の種類によって、その幅を変更することも可能である。
【００７０】
なお、本発明は、上記実施形態の構成に限られるものではなく、特許請求の範囲で示した機能、または本実施形態の構成が持つ機能が達成できる構成であればどのようなものであっても適用可能である。
【００７１】
例えば、上記実施形態では、少なくとも２つの色の乗り換えポイントにおける中間地点を計算し、その中間地点に乗り換えポイントを変更するようなプロファイルデータの再生成を行ったが、この方法に限らない。例えば、複数の色の乗り換えポイントの中間地点に限らず、所定の画素以内にある複数の乗り換えポイントの主走査位置の最大値と最小値の間の点であればどの点であってもよい。また、特定の色の乗り換えポイントを他の色の乗り換えポイントに変更するようなプロファイルデータの再生成を行ってもよい。これにより、変更されるプロファイルデータの数を少なくとも１つ減らすことができる。
【００７２】
また、本発明は、複数の機器から構成されるシステムに適用しても、１つの機器からなる装置に適用してもよい。また、画像形成装置としては、本来の印刷装置の他、印刷機能を有するファクシミリ装置、印刷機能、コピー機能、スキャナ機能等を有する複合機（ＭＦＰ）であってもよいことは勿論である。
【００７３】
上記実施の形態では、画像形成装置として、中間転写体を使用し、この中間転写体に各色のトナー像を順次重ねて転写し、この中間転写体に担持されたトナー像を記録媒体に一括して転写する画像形成装置を例示している。しかし、この転写方式に限定されるものではなく、記録媒体担持体を使用し、この記録媒体担持体に担持された記録媒体に各色のトナー像を順次重ねて転写する画像形成装置であってもよい。
【００７４】
また、上記実施形態に記載されている構成部品の形状、それらの相対配置などは、本発明が適用される装置の構成や各種条件により適宜変更されるべきものであり、本発明の範囲は上記例示するもののみに限定されものではない。
【図面の簡単な説明】
【００７５】
【図１】実施の形態におけるカラー画像形成装置の構成を示すブロック図である。
【図２】カラー画像形成装置における画像形成部４０１の構成を示す断面図である。
【図３】画像形成装置のプロファイル特性を示すグラフである。
【図４】プロファイル特性の定義によって画像処理部４０２で補正がなされるべき方向と、画像形成部４０１のずれ方向との相関を示す図である。
【図５】１色分のレーザースキャナの歪み具合およびそのプロファイルデータを示す図である。
【図６】乗り換えポイントにおける読み出しを示す図である。
【図７】画像形成装置内のプロファイル格納部４０３に記憶されている各色のプロファイルデータを示す図である。
【図８】図７のプロファイルデータにより画像形成装置内の各色が記憶されている第２記憶部（画像メモリ）４０８からの各色の読み出しを示す図である。
【図９】図８の各色の読み出しを基に、画像形成装置の画像形成部４０１によってレーザースキャンが行われた状態を示す図である。
【図１０】用紙上に画像が形成された状態を示す図である。
【図１１】プロファイルデータの再生成手順を示すフローチャートである。
【図１２】図１１につづくプロファイルデータの再生成手順を示すフローチャートである。
【図１３】再生成が行われたプロファイルデータを示す図である。
【図１４】再生成が終了したプロファイルデータ（図１３参照）により画像形成装置内の各色が記憶されている画像記憶部（画像メモリ）からの各色の読み出しを示す図である。
【図１５】図１４の各色の読み出しを基に、画像形成装置の画像形成部４０１によってレーザースキャンが行われた状態を示す図である。
【図１６】用紙上に画像が形成された状態を示す図である。
【図１７】従来の画像形成装置におけるプロフィルの一例を示すグラフである。
【図１８】１画素単位の補正を説明する図である。
【図１９】１画素未満の補正を説明する図である。
【符号の説明】
【００７６】
４０１  画像形成部
４０２  画像処理部
４０８  第２記憶部
４１２  補間処理部
４１６  プロファイルデータ
【図１】
0004412738.tif 000002
【図２】
0004412738.tif 000003
【図３】
0004412738.tif 000004
【図４】
0004412738.tif 000005
【図５】
0004412738.tif 000006
【図６】
0004412738.tif 000007
【図７】
0004412738.tif 000008
【図８】
0004412738.tif 000009
【図９】
0004412738.tif 000010
【図１０】
0004412738.tif 000011
【図１１】
0004412738.tif 000012
【図１２】
0004412738.tif 000013
【図１３】
0004412738.tif 000014
【図１４】
0004412738.tif 000015
【図１５】
0004412738.tif 000016
【図１６】
0004412738.tif 000017
【図１７】
0004412738.tif 000018
【図１８】
0004412738.tif 000019
【図１９】
0004412738.tif 000020